(57)【特許請求の範囲】
【請求項１】
屋根下構造物上に立設された、柱と梁からなる屋根支持体の少なくとも片側に破風パネルが直交して配置され、これらの屋根支持体及び破風パネル上に屋根パネルが設置されて、上記屋根下構造物を覆うように構成された建物の屋根構造において、
上記屋根支持体は、屋根支持体梁の下面に屋根支持体柱の上面が当接して支持される梁勝ち構造に構成され、
上記屋根支持体柱における上記破風パネル側の側面と、一対の上記破風パネルにおける上記屋根支持体側の裏面とが、当接又は離反状態に位置付けられて構成されたことを特徴する建物の屋根構造。
【請求項２】
屋根下構造体上に立設された、柱と梁からなる屋根支持体の少なくとも片側に破風パネルが直交して配置され、これらの屋根支持体及び破風パネル上に屋根パネルが設置されて、上記屋根下構造物を覆うように構成された建物の屋根構造において、
上記屋根支持体は、屋根支持体梁の下面に屋根支持体柱の上面が当接して支持される梁勝ち構造に構成され、
上記屋根支持体柱の下面に固着されたベースプレートには、上記屋根下構造物から屋根側へ延在した止水部材を挿通可能とする切欠きが設けられたことを特徴とする建物の屋根構造。
【請求項３】
屋根下構造物上に立設された、柱と梁からなる屋根支持体上に屋根パネルが設置されて、上記屋根下構造物を覆うように構成された建物の屋根構造において、
上記屋根支持体は、屋根支持体梁の下面が屋根支持体柱の上面に当接して支持される梁勝ち構造に構成され、
上記屋根下構造物において屋根側へ突設され且つ上記屋根支持体と直交配置された突設部材と、上記屋根支持体の屋根支持体柱との間に隙間が確保可能に構成されたことを特徴とする建物の屋根構造。
【請求項４】
上記屋根下構造物は、複数の建物ユニットが相隣接し、各建物ユニットの隣接する側の柱が省略して構成され、
上記突設部材は、柱省略部を横切って、相隣接する上記建物ユニットの天井梁間に掛け渡して配置された補強梁である請求項３に記載の建物の屋根構造。
【発明の詳細な説明】
【０００１】
【発明の属する技術分野】
本発明は建物の屋根構造に係り、特に桁トラスの構造を改良した建物の屋根構造に関する。
【０００２】
【従来の技術】
例えば図１６に示すように、屋根１によって覆われる屋根下構造物２が、少なくとも 2個の建物ユニット３の桁側を当接し、妻側を並列して配置されたものである場合、上記屋根１は、図１６（Ｂ）に示すように、桁側を当接して隣接配置された 2個の建物ユニット３の桁側の天井梁上に屋根支持体としての桁トラス４を立設し、上記 2個の建物ユニット３の妻側の天井梁上に一対の破風パネル５を配置し、これらの桁トラス４及び破風パネル５上に図示しない屋根パネルを設置して構成される。
【０００３】
上記桁トラス４は、図１１に示すように、桁トラス梁６の両端面が桁トラス柱７の上部側面に当接して支持される柱勝ち構造であり、桁トラス柱７の下面にベースプレート８が固着されて構成される。
【０００４】
また、一対の破風パネル５は、図１６（Ｂ）に示すように、桁トラス４に直交して配置され、図１２に示すように、桁トラス４の桁トラス柱７に対応する位置にて略突き合せ状態に設置される。従って、一対の破風パネル５間の略突き合せ部の隙間９は、桁トラス４の桁トラス柱７に対応して位置付けられる。そして、この隙間９内に特開昭49-105317 号公報にも示すように、ガスケットや合成樹脂発泡体ロッド等の止水部材が押し込められて、止水処理がなされる。
【０００５】
また、図１１に示すように、桁トラス４には桁トラス梁６に箱形状のパネル受金具１０が固着され、このパネル受金具１０を介して前記屋根パネルが桁トラス４に支持される。このパネル受金具１０は、図１２に示すように、所定間隔離れた第１立設部材１１と第２立設部材１２との上縁部に、第１受面１３及び第２受面１４が傾斜して溶接等により固着され、箱形状に構成される。
【０００６】
【発明が解決しようとする課題】
ところで、上述の屋根１においては、略突き合せ状態で配置された一対の破風パネル５間の隙間９は、図１２に示すように、桁トラス４の桁トラス柱７に対応して位置付けられるため、この桁トラス柱７が邪魔をして隙間９の奥行き寸法ｔが不十分となってしまう。従って、この隙間９内に配設される止水部材による止水効果が不完全となって、屋根１の雨仕舞を良好に実施できない場合がある。
【０００７】
また、図１１及び図１３に示すように、桁トラス柱７の下面にベースプレート８が固着されて桁トラス４が構成されるが、図１４に示すように、このベースプレート８が邪魔をして、屋根下構造物２の隣接配置された建物ユニット３間に介装される止水部材としての合成樹脂発泡体ロッド１５を、屋根１側へ延在させることができない。このため、屋根下構造物２と屋根１との間で止水部材をオーバーラップさせることができないので、この場合も屋根１の雨仕舞を良好に実施できない場合がある。
【０００８】
また、屋根下構造物２においては、図１６に示すように、隣接配置された複数の屋根下構造物２の隣接する側の柱が省略され、この柱省略部１６を横切るようにして、複数の建物ユニット３の天井梁３Ａ（図１５）間に補強梁１７が配置されたものがある。しかし、この補強梁１７は、図１５に示すように、剛性を高めるために屋根１側に突設されているので、互いに直交配置された補強梁１７と桁トラス４とが当接してしまう。このため、桁トラス４の屋根下構造物２への据付作業が煩雑となり、ひいては屋根１の据付作業性も低下してしまう。
【０００９】
更に、図１２に示すように、パネル受金具１０は、 4個の部材（第１立設部材１１、第２立設部材１２、第１受面１３、第２受面１４）を溶接等により固着して箱形状に構成されるため、構成部品数が多く、然も溶接はコストが高い。これらのことから、パネル受金具１０のコストが上昇し、ひいては屋根が高コスト化してしまう。
【００１０】
上述の事情を考慮して、請求項１又は２に記載の発明は、屋根の雨仕舞を良好に実施できる建物の屋根構造を提供することを目的とし、請求項３又は４に記載の発明は、屋根の据付作業性を向上させることができる建物の屋根構造を提供することを目的とする。
【００１１】
【課題を解決するための手段】
請求項１に記載の発明は、屋根下構造物上に立設された、柱と梁からなる屋根支持体の少なくとも片側に破風パネルが直交して配置され、これらの屋根支持体及び破風パネル上に屋根パネルが設置されて、上記屋根下構造物を覆うように構成された建物の屋根構造において、上記屋根支持体は、屋根支持体梁の下面に屋根支持体柱の上面が当接して支持される梁勝ち構造に構成され、上記屋根支持体柱における上記破風パネル側の側面と、一対の上記破風パネルにおける上記屋根支持体側の裏面とが、当接又は離反状態に位置付けられて構成されたものである。
【００１２】
請求項２に記載の発明は、屋根下構造体上に立設された、柱と梁からなる屋根支持体の少なくとも片側に破風パネルが直交して配置され、これらの屋根支持体及び破風パネル上に屋根パネルが設置されて、上記屋根下構造物を覆うように構成された建物の屋根構造において、上記屋根支持体は、屋根支持体梁の下面に屋根支持体柱の上面が当接して支持される梁勝ち構造に構成され、上記屋根支持体柱の下面に固着されたベースプレートには、上記屋根下構造物から屋根側へ延在した止水部材を挿通可能とする切欠きが設けられたものである。
【００１３】
請求項３に記載の発明は、屋根下構造物上に立設された、柱と梁からなる屋根支持体上に屋根パネルが設置されて、上記屋根下構造物を覆うように構成された建物の屋根構造において、上記屋根支持体は、屋根支持体梁の下面が屋根支持体柱の上面に当接して支持される梁勝ち構造に構成され、上記屋根下構造物において屋根側へ突設され且つ上記屋根支持体と直交配置された突設部材と、上記屋根支持体の屋根支持体柱との間に隙間が確保可能に構成されたものである。
【００１４】
請求項４に記載の発明は、請求項３に記載の発明において、上記屋根下構造物は、複数の建物ユニットが相隣接し、各建物ユニットの隣接する側の柱が省略して構成され、上記突設部材は、柱省略部を横切って、相隣接する上記建物ユニットの天井梁間に掛け渡して配置された補強梁であるようにしたものである。
【００１５】
【作用】
請求項１に記載の発明には、次の作用▲１▼がある。
▲１▼屋根支持体が梁勝ち構造に構成され、屋根支持体の屋根支持体柱における破風パネル側の側面と、一対の破風パネルにおける屋根支持体側の裏面とが、当接又は離反状態に位置付けられて構成されたので、一対の破風パネルの略突き合せ部に奥行きの十分な隙間を確保できる。従って、この隙間に止水部材を完全に押し込めることができるので、屋根の雨仕舞を良好に実施できる。
【００１６】
請求項２に記載の発明には、次の作用▲２▼がある。
▲２▼屋根支持体が梁勝ち構造に構成されるとともに、この屋根支持体の屋根支持体柱の下面に取り付けられたベースプレートに、屋根下構造物から屋根側へ延在した止水部材を挿通する切欠きが設けられたことから、屋根下構造物と屋根との間で止水部材をオーバーラップして配設させることができる。このため、屋根下構造物と屋根との間における止水効果が高まり、屋根の雨仕舞を良好に実施できる。
【００１７】
請求項３又は４に記載の発明には、次の作用▲３▼がある。
▲３▼屋根支持体が梁勝ち構造に構成され、屋根下構造物において屋根側へ突設された突設部材（補強梁）と屋根支持体の屋根支持体柱との間に隙間が確保可能に構成されたので、屋根支持体を屋根下構造物に据え付ける際に、上記突設部材（補強梁）と屋根支持体の屋根支持体柱とが接触せず、屋根支持体の据付作業を容易に実施でき、ひいては屋根の据付作業性を向上させることができる。
【００１８】
【発明の実施の形態】
図１は、本発明に係る建物の屋根構造の一つの実施の形態が適用された屋根を、屋根下構造物とともに示す分解斜視図である。図２は、図１の屋根の桁トラスを示し、（Ａ）がその正面図、（Ｂ）が図２（Ａ）のIIＢ矢視図である。図３は、図２の桁トラスと屋根パネルとの結合状態を示す図である。図４（Ａ）は図２（Ａ）のIVＡ矢視図、図４（Ｂ）は図４（Ａ）のIVＢ矢視図、図４（Ｃ）は図４（Ａ）のIVＣ矢視図である。図５（Ａ）は図２（Ａ）の VＡ部拡大図であり、図５（Ｂ）は図５（Ａ）の VＢ矢視図である。図６は、図２の桁トラスの据付状態の一部を示す斜視図である。図７（Ａ）は図２（Ａ）の VIIＡ部拡大図、図７（Ｂ）は図７（Ａ）の VIIＢ矢視図である。図８は、図２の桁トラスの据付状態の一部を示す正面図である。図９は、図２（Ａ）のパネル受金具のメイン部材を示し、（Ａ）がその正面図、（Ｂ）が図９（Ａ）のIXＢ矢視図、（Ｃ）が図９（Ａ）のIXＣ矢視図、（Ｄ）が図９（Ａ）のIXＤ矢視図である。図１０は、図２（Ａ）のパネル受金具のサブ部材を示し、（Ａ）がその正面図、（Ｂ）が図１０（Ａ）の XＢ矢視図、（Ｃ）が図１０（Ａ）の XＣ矢視図である。
【００１９】
図１に示すように、屋根２０は、屋根下構造物２１を覆うように設置される。本実施の形態における上記屋根下構造物２１は、 4個の柱省略建物ユニット２２のそれぞれの柱省略コーナー部を柱省略接合部２３にて互いに突き合せて配置され、これらの 4個の柱省略建物ユニット２２にて、柱２４に遮られることのない広い居室空間を形成したものである。
【００２０】
ここで、各柱省略建物ユニット２２は、桁側同士、妻側同士が突き合せ配置される。また、各柱省略建物ユニット２２は、矩形配置された 4本の床梁２５と、矩形配置された 4本の天井梁２６とが、 3本の柱２４にて接合されて骨組構造に構成されたものである。
【００２１】
上記屋根下構造物２１では、 4個の柱省略建物ユニット２２の柱省略接合部２３は、補強梁２７によって補強される。この補強梁２７は長尺部材からなり、柱省略接合部２３の妻方向の一方側において相隣る 2個の柱省略建物ユニット２２の天井梁２６間から、妻方向の他方側において相隣る 2個の柱省略建物ユニット２２の天井梁２６間に渡って設けられる。
【００２２】
つまり、この補強梁２７の長手方向両端部は、柱省略接合部２３の妻方向の一方側において相隣る 2個の柱省略建物ユニット２２の各柱２４と、柱省略接合部２３の妻方向の他方側において相隣る 2個の柱省略建物ユニット２２の各柱２４とにそれぞれ接続される。また、補強梁２７の長手方向中央部に、 4個の柱省略建物ユニット２２の柱省略コーナー部が接続される。このような補強梁２７は、剛性を高めるために、図８に示すように、屋根２０側に突出して設けられる。
【００２３】
さて、屋根２０は図１及び図３に示すように、並設された 2枚の、屋根支持体としての桁トラス２８と、各桁トラス２８の片側に配置された一対の破風パネル３０及び３１と、これら桁トラス２８、破風パネル３０及び３１上に配置された屋根パネル３２とを有して構成される。
【００２４】
ここで、桁トラス２８は、桁側を突き合せて配置された 2個の柱省略建物ユニット２２の各桁側の天井梁２６間に立設され、補強梁２７と直交して配置される。また、一対の破風パネル３０及び３１は、桁側を突き合せて配置された 2個の柱省略建物ユニット２２の各妻側の天井梁２６上に略突き合せ状態で立設され、従って、桁トラス２８と直交して配置される。
【００２５】
上記桁トラス２８は、図２に示すように、屋根支持体梁としての桁トラス梁３４の両端部の下面に屋根支持体柱としての桁トラス柱３３の上面が当接して、桁トラス梁３４が桁トラス柱３３に支持された梁勝ち構造に構成される。図５及び図７に示すように、桁トラス柱３４の下面にベースプレート３５が、また桁トラス柱３３の内側面下部に第２受プレート３６が、それぞれ溶接等により固着される。更に、図２に示す桁トラス梁３４の下面で長手方向中央位置に第１受プレート３７が溶接等により固着される。この第１受プレート３７と上記第２受プレート３６との間に斜め材３８が固定されて、桁トラス２８が補強される。
【００２６】
桁トラス梁３４の上面における長手方向適宜位置（従来のパネル受金具１０と同一位置）には、複数個のパネル受金具３９が溶接等により固着される。このパネル受金具３９は、図３及び図４に示すように、下部を開口する箱形状に構成され、山形に傾斜配置された一対の第１受面４０Ａ及び第２受面４０Ｂに、ボルト４１及びナット４２を用いて屋根パネル３２が固定され支持される。
【００２７】
ここで、上記パネル受金具３９は、図９及び図１０に示すように、第１立設部４３と第１受面４０Ａ及び第２受面４０Ｂとが 1枚の板材にて一体に切断加工され、第１受面４０Ａ及び第２受面４０Ｂが第１立設部４３に対し折曲線Ａに沿って直角に折り曲げられて構成されたメイン部材４５と、この折り曲げられた第１受面４０Ａ及び第２受面４０Ｂの端面に、第２立設部４４となるサブ部材４６がメイン部材４５の開口を閉塞するように溶接等により固着して構成される。
【００２８】
折曲加工前の上記メイン部材４５における第１立設部４３の両側縁４７と、第１受面４０Ａ及び第２受面４０Ｂの両外側側縁４８とは、上記折曲線Ａに対し直交する直線形状に形成されて、 1枚の板材からの第１立設部４３、第１受面４０Ａ及び第２受面４０Ｂの切断加工が容易化される。
【００２９】
ところで、一対の破風パネル３０及び３１は、図１示すように桁トラス２８の外側に直交して配置され、図４に示すように、この桁トラス２８の桁トラス柱３３に対応する位置にて略突き合せ状態で配設される。従って、一対の破風パネル３０及び３１間の略突き合せ部の隙間５０は、桁トラス２８の桁トラス柱３３に対応した位置付けられる。このとき、前述の如く桁トラス２８が梁勝ち構造に構成されるとともに、桁トラス柱３３における破風パネル３０、３１側の側面５１と、破風パネル３０及び３１における桁トラス柱３３側の裏面５２とが、距離Ｌ1 だけ離反した状態に位置付けられるので、一対の破風パネル３０、３１間の隙間５０の奥行き寸法Ｔは、破風パネル３０、３１の厚さ相当長さとなり、十分な寸法に加工される。そして、この十分な奥行き寸法Ｔを備えた隙間５０内に、ライトロンロッド、ガスケット或いは妻小壁側シート等の図示しない止水部材が押し込まれる。
【００３０】
また、図５に示すように、桁トラス２８における破風パネル３０及び３１が配置される側のベースプレート３５には、切欠き５３が形成される。この切欠き５３は、図６に示すように、屋根下構造物２１において、桁側を突き合せて相隣る 2個の柱省略建物ユニット２２間から屋根２０側へ延出される止水部材としてのライトロンロッド５４を挿通可能に構成される。切欠き５３を挿通したライトロンロッド５４は、一対の破風パネル３０、３１間の隙間５０内に収容される。この隙間５０内では上述の止水部材が押し込まれるので、屋根下構造物２１と屋根２０との境界は、屋根下構造物２１側の止水部材（ライトロンロッド５４）と屋根２０側の止水部材（破風パネル３０、３１間の隙間５０内の止水部材）とがオーバーラップして止水処理される。
【００３１】
更に、図７に示すように、桁トラス２８における破風パネル３０及び３１が配置されない側の桁トラス柱３３は、その外側面５５が、ベースプレート３５に穿設された柱省略建物ユニット２２との接続孔５６よりも外側に距離Ｌ2 となるように設定される。この距離Ｌ2 は、図１３に示す桁トラス４の桁トラス柱７の外側面１８と、ベースプレート８における建物ユニット３との接続孔１９との距離Ｌ3 よりも小さく設定される。このため、図８に示すように、桁トラス２８における破風パネル３０及び３１が配置されない側の桁トラス柱３３は、柱省略建物ユニット２２から屋根２０側へ突設された補強梁２７との間に所定寸法Ｓの隙間５７を確保可能に構成されて、桁トラス２８と補強梁２７との干渉が回避される。
【００３２】
従って、上記実施の形態によれば、次の効果▲１▼〜▲５▼を奏する。
▲１▼桁トラス２８が梁勝ち構造に構成され、この桁トラス２８の桁トラス柱３３における破風パネル３０、３１側の側面５１（図４）と、一対の破風パネル３０、３１における桁トラス２８側の裏面５２とが、距離Ｌ1 だけ離反した状態に構成されたので、一対の破風パネル３０、３１の突き合せ部に、奥行きの十分な隙間５０を確保できる。従って、この隙間５０にライトロンロッドやガスケット等の止水部材（図示せず）を完全に押し込めることができるので、屋根２０の雨仕舞を良好に実施できる。
【００３３】
▲２▼桁トラス２８が梁勝ち構造に構成されるとともに、この桁トラス２８の桁トラス柱３３の下面に取り付けられたベースプレート３５（図５、図６）に、屋根下構造物２１から屋根２０側へ延在したライトロンロッド５４を挿通する切欠き５３が設けられたことから、屋根下構造物２１と屋根２０との間で止水部材（屋根下構造物２１側のライトロンロッド５４と破風パネル３０、３１間の隙間５０内の止水部材）をオーバーラップして配設させることができる。このため、屋根下構造物２１と屋根２０との境界における止水効果が高まり、結果として、屋根２０の雨仕舞を良好に実施できる。
【００３４】
▲３▼桁トラス２８が梁勝ち構造に構成され、屋根下構造物２１において、屋根２０側へ突設された補強梁２７（図８）と、桁トラス２８の桁トラス柱３３との間に、所定寸法Ｓの隙間５７が確保可能に構成されたので、桁トラス２８を屋根下構造物２１に据え付ける際に、補強梁２７と桁トラス２８の桁トラス柱３３とが接触せず、桁トラス２８の据付作業を容易に実施でき、ひいては屋根２０の据付作業性を向上させることができる。
【００３５】
▲４▼桁トラス２８のパネル受金具３９は、多数の部材を溶接等にて固着して箱形状に構成されたものではなく、曲げ加工されたメイン部材４５（図９）にサブ部材４６（図１０）を溶接等により固着して箱形状に構成されたことから、コストの高い溶接等の固着箇所が少なく、且つ構成部品数を低減できるので、パネル受金具３９のコストを低減でき、ひいては屋根２０を低コスト化できる。
【００３６】
▲５▼パネル受金具３９のメイン部材４５における折曲線Ａに直交する側縁４７、４８が直線形状に切断加工されたので、折曲加工されるメイン部材４５であってもその形状が複雑とならず、メイン部材４５の切断加工を容易化できる。
【００３７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば本実施の形態の屋根２０は、 4個の柱省略建物ユニット２２からなる屋根下構造物２１上に配置され、この柱省略建物ユニット２２に補強梁２７が設置されるものを述べたが、 4本の柱を有する複数個（例えば 4個）の建物ユニットからなる屋根下構造物上に設置されるものでも良い。
【００３８】
また、本実施の形態の屋根２０は、 4個の柱省略建物ユニット２２からなる屋根下構造物２１上に配設されるものを述べたが、桁側を突き合せて配置された 2個の建物ユニットからなる屋根下構造物上に配設されても良い。この場合には、桁トラス２８が 1枚となり、この桁トラス２８の両側に、それぞれ一対の破風パネル３０、３１が配置される。
【００３９】
更に、桁トラス２８における破風パネル３０、３１が配設される側の桁トラス柱３３は、その直下のベースプレート３５に切欠き５３を設ける必要がない場合には、破風パネル３０、３１側の側面５１が桁トラス梁３４の端面と面一に配置されて、その側面５１が破風パネル３０、３１の裏面５２に当接配置されても良い。
【００４０】
【発明の効果】
請求項１又は２に記載の発明によれば、屋根の雨仕舞を良好に実施することができ、請求項３又は４に記載の発明によれば、屋根の据付作業性を向上させることができる。
【図面の簡単な説明】
【図１】図１は、本発明に係る建物の屋根構造の一つの実施の形態が適用された屋根を、屋根下構造物とともに示す分解斜視図である。
【図２】図２は、図１の屋根の桁トラスを示し、（Ａ）がその正面図、（Ｂ）が図２（Ａ）のIIＢ矢視図である。
【図３】図３は、図２の桁トラスと屋根パネルとの結合状態を示す図である。
【図４】図４（Ａ）は図２（Ａ）のIVＡ矢視図、図４（Ｂ）は図４（Ａ）のIVＢ矢視図、図４（Ｃ）は図４（Ａ）のIVＣ矢視図である。
【図５】図５（Ａ）は図２（Ａ）の VＡ部拡大図であり、図５（Ｂ）は図５（Ａ）の VＢ矢視図である。
【図６】図６は、図２の桁トラスの据付状態の一部を示す斜視図である。
【図７】図７（Ａ）は図２（Ａ）の VIIＡ部拡大図、図７（Ｂ）は図７（Ａ）の VIIＢ矢視図である。
【図８】図８は、図２の桁トラスの据付状態の一部を示す正面図である。
【図９】図９は、図２（Ａ）のパネル受金具のメイン部材を示し、（Ａ）がその正面図、（Ｂ）が図９（Ａ）のIXＢ矢視図、（Ｃ）が図９（Ａ）のIXＣ矢視図、（Ｄ）が図９（Ａ）のIXＤ矢視図である。
【図１０】図１０は、図２（Ａ）のパネル受金具のサブ部材を示し、（Ａ）がその正面図、（Ｂ）が図１０（Ａ）の XＢ矢視図、（Ｃ）が図１０（Ａ）の XＣ矢視図である。
【図１１】図１１（Ａ）は従来の屋根における桁トラスの正面図、図１１（Ｂ）は図１１（Ａ）のXIＢ矢視図である。
【図１２】図１２（Ａ）は図１１（Ａ）の XIIＡ矢視図、図１２（Ｂ）は図１２（Ａ）の XIIＢ矢視図、図１２（Ｃ）は図１２（Ａ）の XIIＣ矢視図である。
【図１３】図１３（Ａ）は図１１（Ａ）XIIIＡ部拡大図、図１３（Ｂ）は図１３（Ａ）のXIIIＢ矢視図である。
【図１４】図１４は、図１１の桁トラスの据付状態の一部を示す斜視図である。
【図１５】図１５は、図１１の桁トラスの据付状態の一部を示す正面図である。
【図１６】図１６（Ａ）は図１１の桁トラスが設置される屋根下構造物の平面図、図１６（Ｂ）は図１６（Ａ）の屋根下構造物上に据え付けられる屋根の平面図である。
【符号の説明】
２０  屋根
２１  屋根下構造物
２２  柱省略建物ユニット
２３  柱省略接合部
２７  補強梁（突設部材）
２８  桁トラス（屋根支持体）
３０、３１  破風パネル
３３  桁トラス柱（屋根支持体柱）
３４  桁トラス梁（屋根支持体梁）
３５  ベースプレート
３９  パネル受金具（パネル受具）
４５  メイン部材
４５  サブ部材
５０  破風パネル間の隙間
５１  桁トラス梁の側面
５２  破風パネルの裏面
５３  ベースプレートの切欠き
５４  ライトロンロッド（止水部材）
５５  桁トラス柱の外側面
５７  桁トラス柱と補強梁との隙間
【図１】
0003793334.tif 000002
【図２】
0003793334.tif 000003
【図３】
0003793334.tif 000004
【図４】
0003793334.tif 000005
【図５】
0003793334.tif 000006
【図６】
0003793334.tif 000007
【図７】
0003793334.tif 000008
【図８】
0003793334.tif 000009
【図９】
0003793334.tif 000010
【図１０】
0003793334.tif 000011
【図１１】
0003793334.tif 000012
【図１２】
0003793334.tif 000013
【図１３】
0003793334.tif 000014
【図１４】
0003793334.tif 000015
【図１５】
0003793334.tif 000016
【図１６】
0003793334.tif 000017